(57)【要約】【課題】刺繍部分が発光するように構成して、様々な用途に応じて装身具等の布表面にデザインされる刺繍部分の形状や色に応じた発光を可能にする刺繍表示装置を提供すること。【解決手段】１は長方形の布であり、２は布１の表地１Ａに縫いつけられた刺繍であり、３は刺繍２の形状に合わせてその先端が固定された複数の光ファイバからなる光ファイバ群であり、４は布１の裏地１Ｂに貼り付けられて光ファイバ群３を裏地１Ｂに固定する固定基材であり、５は光源となるＬＥＤであり、６はＬＥＤ５に電源を供給するバッテリであり、７はＬＥＤ５とバッテリ６を接続するリード線である。【選択図】図１
2007279340.tif 000002
【特許請求の範囲】
【請求項１】
刺繍が施された布と、光源と、前記刺繍の形状に合わせて前記光源からの光りを導光する光ファイバ群と、前記光源に電圧を供給する電源と、を具備することを特徴とする刺繍表示装置。
【請求項２】
前記電源は、着脱可能な電池と、当該電池を収納する薄型の電池ケースと、からなることを特徴とする請求項１記載の刺繍表示装置。
【請求項３】
前記刺繍部分の裏地側に前記光ファイバ群及び前記光源を固定する固定基材を具備することを特徴とする請求項１又は２記載の刺繍表示装置。
【請求項４】
前記光源は、前記刺繍の色に合わせて複数の色を発光するＬＥＤからなることを特徴とする請求項１から３の何れかに記載の刺繍表示装置。
【発明の詳細な説明】
【技術分野】
【０００１】
本発明は装身具等の布の表地に適用可能な刺繍表示装置に関し、特に、刺繍を発光させる刺繍表示装置に関する。
【背景技術】
【０００２】
従来、スポーツ用やファッション用の装身具として、手首等に巻き付けるリストバンドが多く利用されている。このようなリストバンドとしては、例えば、特許文献１に記載されたものがある。このリストバンドでは、リング状帯体の表面に着脱自在のシート体の注意喚起表示部を設け、注意喚起表示部の表面に蛍光塗料や刺繍を施すようにしている。
【０００３】
また、特許文献２に記載されたリストバンドでは、中央部に表示領域を形成し、この表示領域の周囲に蛍光塗料を塗布した蛍光部を有することにより、暗所における用途別の色識別を可能としている。
【特許文献１】特開２００２−３７１４１２号公報
【特許文献２】特開２００４−１４１４２０号公報
【発明の開示】
【発明が解決しようとする課題】
【０００４】
しかしながら、上記従来のリストバンドでは、蛍光塗料を利用して表示領域の認識を容易にするようにしているが、その表示色や表示形態は画一的であり、用途に応じて発光色や発光形態を変更することはできない。
【０００５】
本発明は、かかる課題に鑑みてなされたものであり、刺繍部分が発光するように構成して、様々な用途に応じて装身具等の布表面にデザインされる刺繍部分の形状や色に応じた発光を可能にする刺繍表示装置を提供することを目的としている。
【課題を解決するための手段】
【０００６】
本発明の刺繍表示装置は、刺繍が施された布と、光源と、前記刺繍の形状に合わせて前記光源からの光りを導光する光ファイバ群と、前記光源に電圧を供給する電源と、を具備する構成を採る。
【０００７】
この構成によれば、刺繍表示装置を装身具等に利用することにより、刺繍部分を発光させることができ、様々な用途に応じて装身具等の布表面にデザインされる刺繍部分の形状に応じて発光させることができる。
【０００８】
また、本発明の刺繍表示装置は、請求項１記載の刺繍表示装置において、前記電源は、着脱可能な電池と、当該電池を収納する薄型の電池ケースと、からなる構成を採る。
【０００９】
この構成によれば、刺繍表示装置を装身具等に利用する際に、装身具の表地側に嵩張ることなく刺繍表示装置の刺繍部分を固定することができるとともに、裏地側に嵩張ることなく電源を収納することができる。
【００１０】
また、本発明の刺繍表示装置は、請求項１又は２記載の刺繍表示装置において、前記刺繍部分の裏地側に前記光ファイバ群及び前記光源を固定する固定基材を具備する構成を採る。
【００１１】
この構成によれば、刺繍表示装置を装身具等に利用する際に、装身具の裏地側に嵩張ることなく刺繍表示装置の光ファイバ群及び光源を収納することができる。
【００１２】
また、本発明の刺繍表示装置は、請求項１から３の何れかに記載の刺繍表示装置において、前記光源は、前記刺繍の色に合わせて複数の色を発光するＬＥＤからなる構成を採る。
【００１３】
この構成によれば、刺繍表示装置を装身具等に利用することにより、様々な用途に応じて装身具等の布表面にデザインされる刺繍部分の色に応じて発光させることができる。
【発明の効果】
【００１４】
本発明によれば、刺繍表示装置を装身具等に利用することにより、刺繍部分を発光させることができ、様々な用途に応じて装身具等の布表面にデザインされる刺繍部分を発光させることができる。
【発明を実施するための最良の形態】
【００１５】
以下、本発明の実施の形態について図面を参照して詳細に説明する。
【００１６】
（実施の形態１）
【００１７】
図１（ａ）は、本発明を適用した実施の形態１の刺繍表示装置１０の外観を示す平面図である。図１（ｂ）は（ａ）の刺繍表示装置１０を側面から見た図である。
【００１８】
図１（ａ）及び（ｂ）において、１は長方形の布であり、２は布１の表地１Ａに縫いつけられた刺繍であり、３は刺繍２の形状に合わせてその先端が固定された複数の光ファイバからなる光ファイバ群であり、４は布１の裏地１Ｂに貼り付けられて光ファイバ群３を裏地１Ｂに固定する固定基材であり、５は光源となるＬＥＤであり、６はＬＥＤ５に電源を供給するバッテリであり、７はＬＥＤ５とバッテリ６を接続するリード線である。
【００１９】
図１（ａ）では、刺繍２が文字「Ａ」の形状に形成された場合を示しているが、この形状は特に限定するものではない。また、図１（ｂ）の側面図は、刺繍表示装置１０の構成を分かり易く明示するために、光ファイバ群３、ＬＥＤ５及びバッテリ６を、本来の収納状態ではなく、展開した状態で示している。
【００２０】
布１は、刺繍２を施すことが可能な布地であればよく、その素材や布地としての機能等を特に限定するものではない。また、図１の布１の形状は、あくまで一例であり、表示装置１０が取り付けられる装身具や物等の取り付け場所に応じて、異なる形状のものを用いるようにしても良い。
【００２１】
光ファイバ群３は、図１（ｂ）に示すように所定の長さを持つ複数の光ファイバからなり、刺繍２の形状に合わせて固定された各光ファイバの先端にＬＥＤ５からの光を導光し、刺繍２の形状に合わせた発光を行う。光ファイバ群３は、ある程度の半径を持たせて巻回可能な柔軟性を持つプラスチック製等の光ファイバを利用することにより、固定基材４により裏地１Ｂに密着して固定可能である。
【００２２】
固定基材４は、光ファイバ群３を裏地１Ｂに密着して固定するとともに、刺繍２部分に加わる外力から光ファイバ群３を保護するため、樹脂フィルム等を用いる。
【００２３】
ＬＥＤ５は、例えば、刺繍２の色に合わせた光を発光するものを利用し、バッテリ５により駆動可能なものであればよい。なお、ＬＥＤ５の発光輝度等の仕様は特に限定するものではない。
【００２４】
バッテリ６は、電池ケース６Ａと、この電池ケース６Ａに収納される電池６Ｂから構成される。図１（ｂ）では、電池ケース６Ａの外観平面図のみを示している。本実施の形態では、電池６Ｂはボタン型で薄型のものを利用する。電池ケース６Ａは、電池６Ｂの外形形状に合わせて薄型のケースを利用する。また、電池ケース６Ａの外装には、バッテリ６をオン／オフ操作するためのスイッチ６Ｃが設けられている。このスイッチ６Ｃをオン操作することにより、電池６Ｂの電圧がリード線７を介してＬＥＤ５に供給されて、ＬＥＤ５を点灯させる。また、電池６Ｂは、ＬＥＤ５の仕様が３Ｖの場合は、１．５Ｖの電池を２個使用するものとする。
【００２５】
図２は、布１の裏地１Ｂ側に固定基材４によりファイバ群３が巻回して纏めて収納された状態を模式的に示す図である。また、図２において、８はＬＥＤ５と後述する電流制限用抵抗９が接続固定される回路基板であり、この回路基板８もファイバ群３とともに固定基材４により裏地１Ｂ側に固定される。なお、固定基材４は、その左右両端部が裏地１Ｂに貼り付けられている。
【００２６】
なお、電池ケース６Ａも薄型のものを利用するため、刺繍表示装置１０が利用される装身具の裏地部分等に容易に収納可能である。
【００２７】
図３は、ＬＥＤ５、電池６Ｂ及びスイッチ６Ｃにより構成される電気回路の構成を示す図である。図３において、直列に接続された２つの電池６Ｂの正極（＋）がスイッチ６Ｃ及び電流制限用抵抗８を介してＬＥＤ５のアノード電極５Ａに接続され、電池６Ｂの負極（−）がＬＥＤ５のカソード電極５Ｂに接続されている。
【００２８】
以上の図１〜図３に示すように構成された刺繍表示装置１０は、バッテリ６のスイッチ６Ｃがオン操作されると、電池６Ｂからリード線７を介してＬＥＤ５に電圧が供給されてＬＥＤ５が発光し、この光が光ファイバ群３により導光されて刺繍２の形状に合わせて配置された光ファイバ群３の先端部から発光する。この発光により、刺繍２全体がＬＥＤ５の発光色で照明されて見えるようになる。
【００２９】
以上のように、本実施の形態１の刺繍表示装置によれば、刺繍が施された布と、光源となるＬＥＤと、刺繍の表面にＬＥＤからの光りを導光する光ファイバ群と、ＬＥＤに電圧を供給する薄型の電池ケースと電池からなるバッテリと、を具備する構成を採るようにした。このため、当該刺繍表示装置を装身具等に利用することにより、刺繍部分を発光させることができ、様々な用途に応じて装身具等の布表面にデザインされる刺繍部分を発光させることができる。
【００３０】
また、本実施の形態１の刺繍表示装置によれば、光ファイバ群とＬＥＤが固定基材で裏地に固定されるとともに、バッテリとして薄型の電池ケースを利用するようにしたため、当該刺繍表示装置を装身具等に利用する際に、装身具の表地側に嵩張ることなく刺繍表示装置の刺繍部分を固定することができるとともに、裏地側に嵩張ることなくバッテリを収納することができる。
【００３１】
（実施の形態２）
【００３２】
本実施の形態２の刺繍表示装置では、多色の刺繍に対して複数の発光色を適用することに特徴がある。
【００３３】
図４（ａ）は、本発明を適用した実施の形態２の刺繍表示装置２０の外観を示す平面図である。図４（ｂ）は、（ａ）の刺繍表示装置２０を側面から見た図である。図４（ａ）及び（ｂ）において、図１（ａ）及び（ｂ）に示した構成と同一の構成部分には同一符号を付して構成説明を省略する。
【００３４】
図４（ａ）に示す刺繍２１は国旗（日の丸）の形状である場合を示しており、中央の円部分２１Ａの色が赤であり、周辺部分２１Ｂが白である。この刺繍２１の形状に合わせて光ファイバ群３の各光ファイバの先端は固定されている。
【００３５】
図５において、上記刺繍２１の円部分２１Ａ及び周辺部分２１Ｂの色（赤、白）に合せて２つのＬＥＤ２２，２３を設けている。ＬＥＤ２２は発光色が白のものを使用し、ＬＥＤ２３は発光色が赤のものを使用する。これらＬＥＤ２２，２３に応じて光ファイバ群３は２組に分けられている。光ファイバ群３により刺繍２の形状に合わせて固定された各光ファイバの先端にＬＥＤ２２，２３からの各光を導光し、刺繍２１の円部分２１Ａと周辺部分２１Ｂの形状に合わせた色で発光を行う。
【００３６】
なお、光ファイバ群３は、実施の形態１と同様に固定基材４により裏地１Ｂに密着して固定される。
【００３７】
図５は、ＬＥＤ２２，２３、電池６Ｂ及びスイッチ６Ｃにより構成される電気回路の構成を示す図である。図５において、直列に接続された２つの電池６Ｂの正極（＋）がスイッチ６Ｃ及び電流制限用抵抗８を介して並列に接続されたＬＥＤ２２，２３の各アノード電極２２Ａ，２３Ａに接続され、電池６Ｂの負極（−）がＬＥＤ２２，２３の各カソード電極２２Ｂ，２３Ｂに接続されている。
【００３８】
以上の図４及び図５に示すように構成された刺繍表示装置２０は、バッテリ６のスイッチ６Ｃがオン操作されると、電池６Ｂからリード線７を介してＬＥＤ２２，２３に電圧が供給されてＬＥＤ２２，２３が各々発光し、この各光が光ファイバ群３により導光されて刺繍２１の形状（円部分２１Ａ及び周辺部分２１Ｂ）に合わせて配置された光ファイバ群３の先端部から発光する。この発光により、刺繍２１の円部分２１Ａ及び周辺部分２１ＢがＬＥＤ２２，２３の発光色で照明されて見えるようになる。
【００３９】
以上のように、本実施の形態２の刺繍表示装置によれば、刺繍が施された布と、刺繍の配色に合わせて設けられた複数のＬＥＤと、刺繍の表面にＬＥＤからの光りを導光する光ファイバ群と、ＬＥＤに電圧を供給する薄型の電池ケースと電池からなるバッテリと、を具備する構成を採るようにした。このため、当該刺繍表示装置を装身具等に利用することにより、刺繍部分の配色に合わせて発光させることができ、様々な用途に応じて装身具等の布表面にデザインされる刺繍部分の発光色を変更することができる。
【産業上の利用可能性】
【００４０】
本発明に係る刺繍表示装置は、刺繍表示装置を装身具等に利用することにより、刺繍部分の形状や色に応じて発光させることができるという点で装身具に適用して有用である。
【図面の簡単な説明】
【００４１】
【図１】本発明の実施の形態１に係る（ａ）は刺繍表示装置の外観を示す平面図、（ｂ）は刺繍表示装置の外観を示す側面図
【図２】本実施の形態１に係る光ファイバ群及び回路基板の収納状態を示す模式図
【図３】本実施の形態１に係る刺繍表示装置の回路構成を示す図
【図４】本発明の実施の形態２に係る（ａ）は刺繍表示装置の外観を示す平面図、（ｂ）は刺繍表示装置の外観を示す側面図
【図５】本発明の実施の形態２に係る刺繍表示装置の回路構成を示す図
【符号の説明】
【００４２】
１  布
１Ａ  表地
１Ｂ  裏地
２、２１  刺繍
３  光ファイバ群
４  固定基材
５、２２、２３  ＬＥＤ
５Ａ  アノード電極
５Ｂ  カソード電極
６  バッテリ
６Ａ  電池ケース
６Ｂ  電池
６Ｃ  スイッチ
７  リード線
８  回路基板
９  電流制限用抵抗
１０、２０  刺繍表示装置
２１Ａ  円部分
２１Ｂ  周辺部分
【図１】
2007279340.tif 000003
【図２】
2007279340.tif 000004
【図３】
2007279340.tif 000005
【図４】
2007279340.tif 000006
【図５】
2007279340.tif 000007